(57)【要約】【課題】液晶表示パネルが歪むのに起因して液晶表示パネルの表示画像が乱れるのを抑制することが可能な液晶表示装置を提供する。【解決手段】この液晶表示装置１００は、液晶表示パネル２と、液晶表示パネル２が載置される額縁形状の内枠５と、液晶表示パネル２と枠体５との間に配置され、液晶表示パネル２と枠体５とを貼り合わせるための両面テープ６ａ、６ｂ、６ｃおよび６ｄとを備え、両面テープ６ａ、６ｂ、６ｃおよび６ｄは、内枠５の角部５１ａ、５１ｂ、５１ｃおよび５１ｄには配置されずに、内枠５の辺５１ｅ、５１ｆ、５１ｇおよび５１ｈにそれぞれ配置されている。【選択図】図３
2011180483.tif 000002
【特許請求の範囲】
【請求項１】
液晶表示パネルと、
前記液晶表示パネルが載置される額縁形状の枠体と、
前記液晶表示パネルと前記枠体との間に配置され、前記液晶表示パネルと前記枠体とを貼り合わせるための接着部材とを備え、
前記接着部材は、前記枠体の角部には配置されずに、前記枠体の辺に配置されている、液晶表示装置。
【請求項２】
前記接着部材は、前記枠体の角部および前記枠体の辺の端部近傍には配置されずに、前記枠体の辺の端部近傍以外の部分に配置されている、請求項１に記載の液晶表示装置。
【請求項３】
前記液晶表示パネルの回路部配置領域に配置された液晶駆動回路部をさらに備え、
前記回路部配置領域は、前記回路部配置領域に対応する前記枠体の第１の辺のうち、前記接着部材が配置される部分以外の部分に対応するように設けられている、請求項１または２に記載の液晶表示装置。
【請求項４】
前記接着部材は、前記第１の辺の中央部に配置されており、
前記回路部配置領域は、前記第１の辺の端部と中央部との間に対応する前記液晶表示パネルの部分に設けられている、請求項３に記載の液晶表示装置。
【請求項５】
前記液晶表示パネルに光を照射する照明部と、
前記第１の辺の前記接着部材が配置される部分以外の部分に配置され、前記照明部からの光を遮ることが可能な遮光部材とをさらに備える、請求項３または４に記載の液晶表示装置。
【請求項６】
前記遮光部材は、前記第１の辺において前記接着部材を挟むように配置されており、
前記回路部配置領域は、前記接着部材と前記遮光部材との間に対応する前記液晶表示パネルの部分には設けられずに、前記遮光部材に対応する前記液晶表示パネルの部分に設けられている、請求項５に記載の液晶表示装置。
【請求項７】
前記遮光部材の厚みは、前記接着部材の厚み以下である、請求項５または６に記載の液晶表示装置。
【請求項８】
前記第１の辺に配置される前記接着部材の前記第１の辺に沿った方向の長さは、前記第１の辺に対向する第２の辺に配置される前記接着部材の前記第２の辺に沿った方向の長さよりも小さい、請求項３〜７のいずれか１項に記載の液晶表示装置。
【請求項９】
前記第１の辺に配置される前記接着部材の前記第１の辺と直交する方向の長さは、前記第２の辺に配置される前記接着部材の前記第２の辺と直交する方向の長さよりも大きい、請求項８に記載の液晶表示装置。
【請求項１０】
前記接着部材は、両面テープである、請求項１〜９のいずれか１項に記載の液晶表示装置。
【請求項１１】
請求項１〜１０のいずれか１項に記載の液晶表示装置を備える、電子機器。
【発明の詳細な説明】
【技術分野】
【０００１】
本発明は、液晶表示装置および電子機器に関し、特に、液晶表示パネルと枠体とが貼り合わされている液晶表示装置および電子機器に関する。
【背景技術】
【０００２】
従来、液晶表示パネルと枠体とが貼り合わされている液晶表示装置が知られている（たとえば、特許文献１参照）。上記特許文献１には、液晶表示パネルと、開口部を有するフレーム（枠体）と、フレームの開口部の周囲を囲むように配置され、液晶表示パネルとフレームとをフレームの開口部の全周に渡って貼り合わせる両面接着テープとを備える液晶表示装置が開示されている。
【先行技術文献】
【特許文献】
【０００３】
【特許文献１】特開２００９−１２２１６７号公報
【発明の概要】
【発明が解決しようとする課題】
【０００４】
しかしながら、上記特許文献１に記載の液晶表示装置では、液晶表示パネルとフレームとが両面接着テープによってフレームの開口部の全周に渡って貼り合わされているため、フレームが液晶表示装置に対して歪んでいる場合や、フレームに外力が加えられることに起因してフレームが歪んだ場合などにおいては、フレームの歪みに伴って液晶表示パネルも歪むという不都合がある。このため、液晶表示パネルが歪むことに起因して、液晶表示パネルの表示画像が乱れるという問題点がある。
【０００５】
この発明は、上記のような課題を解決するためになされたものであり、この発明の１つの目的は、液晶表示パネルが歪むのに起因して液晶表示パネルの表示画像が乱れるのを抑制することが可能な液晶表示装置および電子機器を提供することである。
【課題を解決するための手段および発明の効果】
【０００６】
上記目的を達成するために、この発明の第１の局面における液晶表示装置は、液晶表示パネルと、液晶表示パネルが載置される額縁形状の枠体と、液晶表示パネルと枠体との間に配置され、液晶表示パネルと枠体とを貼り合わせるための接着部材とを備え、接着部材は、枠体の角部には配置されずに、枠体の辺に配置されている。
【０００７】
この第１の局面による液晶表示装置では、上記のように、接着部材を枠体の角部に配置しないように構成することによって、額縁形状の枠体の全周に渡って接着部材を配置する場合と異なり、歪みが大きい枠体の角部において枠体の歪みに伴って液晶表示パネルが歪むのを抑制することができるので、液晶表示パネルの表示画像が乱れるのを抑制することができる。また、接着部材を枠体の辺に配置することによって、接着部材を枠体の角部に配置しない状態であっても液晶表示パネルと枠体とを貼り合わせることができる。また、元々液晶表示パネルが歪んでいる場合においても、額縁形状の枠体の全周に渡って接着部材を配置する場合と異なり、液晶表示パネルの歪みを矯正する力が液晶表示パネルに加わるのを抑制することができるので、液晶表示パネルに力が加わることに起因して液晶表示パネルの表示画像が乱れるのを抑制することができる。
【０００８】
上記第１の局面による液晶表示装置において、好ましくは、接着部材は、枠体の角部および枠体の辺の端部近傍には配置されずに、枠体の辺の端部近傍以外の部分に配置されている。このように構成すれば、枠体の角部だけでなく枠体の辺の端部近傍においても枠体の歪みに伴って液晶表示パネルが歪むのを抑制することができるので、液晶表示パネルの表示画像が乱れるのをより抑制することができる。
【０００９】
上記第１の局面による液晶表示装置において、好ましくは、液晶表示パネルの回路部配置領域に配置された液晶駆動回路部をさらに備え、回路部配置領域は、回路部配置領域に対応する枠体の第１の辺のうち、接着部材が配置される部分以外の部分に対応するように設けられている。このように構成すれば、枠体の歪みに伴って液晶表示パネルの回路部配置領域が歪むのを抑制することができるので、回路部配置領域において液晶表示パネルが歪むことに起因して液晶表示パネルに対する液晶駆動回路部の電気的接続が切れてしまうのを抑制することができる。また、液晶表示パネルに液晶駆動回路部を配置する際の熱によって液晶表示パネルが歪む場合がある。この場合においても、回路部配置領域に対応する部分に接着部材を配置する場合と異なり、液晶表示パネルの歪みを矯正する力が回路部配置領域に加わるのを抑制することができる。
【００１０】
この場合、好ましくは、接着部材は、第１の辺の中央部に配置されており、回路部配置領域は、第１の辺の端部と中央部との間に対応する液晶表示パネルの部分に設けられている。このように構成すれば、第１の辺の中央部付近において液晶表示パネルと枠体とを貼り合わせることによって、枠体の歪みに伴って液晶表示パネルの第１の辺の中央部以外が歪むのを抑制することができる。また、回路部配置領域を第１の辺の中央部に対応する液晶表示パネルの部分に設けないことにより、枠体の歪みに伴って液晶表示パネルの回路部配置領域が歪むのを抑制することができる。
【００１１】
上記回路部配置領域が設けられている液晶表示装置において、好ましくは、液晶表示パネルに光を照射する照明部と、第１の辺の接着部材が配置される部分以外の部分に配置され、照明部からの光を遮ることが可能な遮光部材とをさらに備える。このように構成すれば、接着部材が配置される部分以外の部分における液晶表示パネルと枠体との隙間を介して照明部の光が液晶駆動回路部に到達するのを遮光部材によって抑制することができる。
【００１２】
この場合、好ましくは、遮光部材は、第１の辺において接着部材を挟むように配置されており、回路部配置領域は、接着部材と遮光部材との間に対応する液晶表示パネルの部分には設けられずに、遮光部材に対応する液晶表示パネルの部分に設けられている。このように構成すれば、液晶表示パネルに液晶駆動回路部を配置する際に、回路部配置領域を接着部材と遮光部材との間に対応する液晶表示パネルの部分に設けた場合には、接着部材と遮光部材との間の段差に起因して、接着部材と遮光部材との間に応力が発生しやすい。これにより、回路部配置領域を接着部材と遮光部材との間に対応する液晶表示パネルの部分に設けないことによって、液晶表示パネルに応力が発生するのを抑制することができる。また、第１の辺における接着部材の両端部側における液晶表示パネルと枠体との隙間を介して照明部の光が液晶駆動回路部に到達するのを、回路部配置領域に対応する部分に配置された遮光部材によって抑制することができる。
【００１３】
上記遮光部材をさらに備える液晶表示装置において、好ましくは、遮光部材の厚みは、接着部材の厚み以下である。このように構成すれば、第１の辺の接着部材が配置される部分以外の部分において、液晶表示パネルと枠体との隙間を埋めるように遮光部材を配置することができる。これにより、遮光部材が配置されていない場合と比べて、液晶表示パネルと枠体との隙間を小さくすることができるので、液晶表示パネルが枠体側に撓むのを抑制することができる。また、遮光部材の厚みが接着部材の厚みよりも大きいことに起因して液晶表示パネルと枠体とが接着部材により貼り合わせられなくなるのを抑制することができる。
【００１４】
上記回路部配置領域が設けられている液晶表示装置において、好ましくは、第１の辺に配置される接着部材の第１の辺に沿った方向の長さは、第１の辺に対向する第２の辺に配置される接着部材の第２の辺に沿った方向の長さよりも小さい。このように構成すれば、液晶駆動回路部が配置されることに起因して歪みが生じやすい第１の辺において、枠体の歪みに伴って液晶表示パネルの回路部配置領域が歪むのをより抑制することができる。
【００１５】
この場合、好ましくは、第１の辺に配置される接着部材の第１の辺と直交する方向の長さは、第２の辺に配置される接着部材の第２の辺と直交する方向の長さよりも大きい。このように構成すれば、第１の辺に配置される接着部材の面積の大きさと、第２の辺に配置される接着部材の面積の大きさとを近づけることができるので、第１の辺および第２の辺において、液晶表示パネルと枠体との接着状態を近づけることができる。
【００１６】
上記第１の局面による液晶表示装置において、好ましくは、接着部材は、両面テープである。このように構成すれば、両面テープにより、容易に、液晶表示パネルと枠体とを貼り合せることができる。
【００１７】
この発明の第２の局面による電子機器は、上記のいずれかの構成を有する液晶表示装置を備える。このように構成すれば、液晶表示パネルが歪むのに起因して液晶表示パネルの表示画像が乱れるのを抑制することが可能な電子機器を得ることができる。
【図面の簡単な説明】
【００１８】
【図１】本発明の一実施形態による液晶表示装置の分解斜視図である。
【図２】本発明の一実施形態による液晶表示装置の液晶表示パネルの平面図である。
【図３】本発明の一実施形態による液晶表示装置の内枠の平面図である。
【図４】本発明の一実施形態による液晶表示装置の矢印Ｙ１方向側からの側面図である。
【図５】本発明の一実施形態による液晶表示装置のバックライト部に歪みが生じた場合の矢印Ｙ１方向側からの側面図である。
【図６】本発明の一実施形態の比較例による液晶表示装置のバックライト部に歪みが生じた場合の矢印Ｙ１方向側からの側面図である。
【図７】本発明の一実施形態による液晶表示装置を用いた電子機器の第１の例を説明するための図である。
【図８】本発明の一実施形態による液晶表示装置を用いた電子機器の第２の例を説明するための図である。
【図９】本発明の一実施形態による液晶表示装置を用いた電子機器の第３の例を説明するための図である。
【発明を実施するための形態】
【００１９】
以下、本発明の実施形態を図面に基づいて説明する。
【００２０】
まず、図１〜図４を参照して、本発明の一実施形態による液晶表示装置１００の構成について説明する。
【００２１】
本発明の一実施形態による液晶表示装置１００には、図１に示すように、上方（矢印Ｚ１方向側）から順に、外枠１と、透過型の液晶表示パネル２と、液晶表示パネル２に光を照射するバックライト部３とが設けられている。また、外枠１、液晶表示パネル２およびバックライト部３は、平面的に見て、各々略矩形形状を有している。また、液晶表示パネル２は、外枠１とバックライト部３とに挟み込まれるように配置されている。なお、バックライト部３は、本発明の「照明部」の一例である。
【００２２】
また、液晶表示パネル２には、アレイ基板２ａとカラーフィルタ基板２ｂと液晶層（図示せず）とを含む画像表示部２０が設けられている。この画像表示部２０は、バックライト部３からの光によって画像を表示することが可能なように構成されている。
【００２３】
また、図２に示すように、アレイ基板２ａの上面（図１の矢印Ｚ１方向側）で、かつ、矢印Ｙ１方向側には、ドライバ配置部２１が設けられており、ドライバ配置部２１は、ドライバ配置領域２１ａ、２１ｂ、２１ｃおよび２１ｄを含んでいる。このドライバ配置領域２１ａ、２１ｂ、２１ｃおよび２１ｄには、それぞれ、液晶表示パネル２を駆動させる４つの駆動ＩＣ４ａ、４ｂ、４ｃおよび４ｄが配置されている。なお、ドライバ配置領域２１ａ、２１ｂ、２１ｃおよび２１ｄは、本発明の「回路部配置領域」の一例であり、駆動ＩＣ４ａ、４ｂ、４ｃおよび４ｄは、本発明の「液晶駆動回路部」の一例である。
【００２４】
具体的には、ドライバ配置領域２１ａは、ドライバ配置部２１の矢印Ｘ１方向側の端部側に設けられており、ドライバ配置領域２１ｂは、ドライバ配置部２１の矢印Ｘ１方向側で、かつ、中央部側に設けられている。また、ドライバ配置領域２１ｃは、ドライバ配置部２１の矢印Ｘ２方向側で、かつ、中央部側に設けられており、ドライバ配置領域２１ｄは、ドライバ配置部２１の矢印Ｘ２方向側の端部側に設けられている。
【００２５】
また、ドライバ配置領域２１ａおよび駆動ＩＣ４ａと、ドライバ配置領域２１ｄおよび駆動ＩＣ４ｄとは、Ｘ方向の長さＬ１を有するとともに、Ｙ方向の幅Ｗ１を有する。また、ドライバ配置領域２１ｂおよび駆動ＩＣ４ｂと、ドライバ配置領域２１ｃおよび駆動ＩＣ４ｃとは、Ｘ方向の長さＬ２を有するとともに、Ｙ方向の幅Ｗ２を有する。なお、長さＬ２は、長さＬ１よりも大きい一方、幅Ｗ２は、幅Ｗ１と略同一である。
【００２６】
また、バックライト部３には、液晶表示パネル２が載置される内枠５が設けられている。内枠５は、図３に示すように、内枠５の大部分を占める開口部５０と、開口部５０を取り囲むように枠状に形成された平坦面状の上面（図１の矢印Ｚ１方向側の面）を有する枠部５１と、枠部５１の矢印Ｙ１方向側の後述する辺５１ｅ以外の辺５１ｆ、５１ｇおよび５１ｈを取り囲むように形成された側面部５２とを含む。これにより、内枠５は、Ｘ方向の長さＬ３を有するとともに、Ｙ方向の幅Ｗ３を有する額縁形状に形成されている。また、内枠５は反射率の高いプラスチックからなる。なお、内枠５は、本発明の「枠体」の一例である。
【００２７】
また、図１に示すように、開口部５０は、液晶表示パネル２が内枠５に載置された際に、画像表示部２０が露出されるように構成されている。そして、バックライト部３は、液晶表示パネル２に開口部５０を介して下方（矢印Ｚ２方向側）から上方（矢印Ｚ１方向側）に向かって光を照射するように構成されている。
【００２８】
ここで、本実施形態では、図３に示すように、枠部５１の上面（矢印Ｚ１方向側の面）には、４つの両面テープ６ａ、６ｂ、６ｃおよび６ｄ（細線の斜線部）と、光を遮ることが可能な２つの遮光テープ７ａおよび７ｂ（太線の斜線部）とが配置されている。また、両面テープ６ａ、６ｂ、６ｃおよび６ｄは、枠部５１の４つの角部５１ａ、５１ｂ、５１ｃおよび５１ｄには配置されておらず、４つの角部５１ａ、５１ｂ、５１ｃおよび５１ｄを接続する４つの辺５１ｅ、５１ｆ、５１ｇおよび５１ｈに配置されている。なお、両面テープ６ａ、６ｂ、６ｃおよび６ｄは、本発明の「接着部材」の一例であり、遮光テープ７ａおよび７ｂは、本発明の「遮光部材」の一例である。
【００２９】
また、図１に示すように、両面テープ６ａ、６ｂ、６ｃおよび６ｄと遮光テープ７ａおよび７ｂとは、液晶表示パネル２と内枠５との間に配置されている。また、両面テープ６ａ、６ｂ、６ｃおよび６ｄは、液晶表示パネル２と内枠５とを貼り合わせることが可能なように構成されている。また、遮光テープ７ａおよび７ｂの下面には、図示しない接着材が配置されている一方、上面には接着材は配置されていない。これにより、遮光テープ７ａおよび７ｂは、内枠５に接着される一方、液晶表示パネル２には接着されないように構成されている。
【００３０】
また、本実施形態では、図３に示すように、両面テープ６ａは、辺５１ｅの矢印Ｘ１方向側の端部Ｂの近傍および辺５１ｅの矢印Ｘ２方向側の端部Ｃの近傍に配置されていない。この両面テープ６ａは、両面テープ６ａの中央部が辺５１ｅの中央部Ａに略位置した状態で、Ｘ方向に延びるように配置されている。また、遮光テープ７ａは、両面テープ６ａの矢印Ｘ１方向側の端部の近傍から、辺５１ｅの矢印Ｘ１方向側の端部ＢまでＸ方向に延びるように配置されている。また、遮光テープ７ｂは、両面テープ６ａの矢印Ｘ２方向側の端部の近傍から、辺５１ｅの矢印Ｘ２方向側の端部ＣまでＸ方向に延びるように配置されている。すなわち、遮光テープ７ａは、辺５１ｅの矢印Ｘ１方向側の端部Ｂと中央部Ａとの間に配置されているとともに、遮光テープ７ｂは、辺５１ｅの矢印Ｘ２方向側の端部Ｃと中央部Ａとの間に配置されている。また、両面テープ６ａは、遮光テープ７ａおよび７ｂによって挟まれるように配置されている。なお、辺５１ｅは、本発明の「第１の辺」の一例である。
【００３１】
また、両面テープ６ａは、Ｘ方向の長さＬ４を有するとともに、Ｙ方向の幅Ｗ４を有する。一方、遮光テープ７ａおよび７ｂは、Ｘ方向の長さＬ５を有するとともに、Ｙ方向の幅Ｗ５を有する。なお、遮光テープ７ａおよび７ｂの長さＬ５は、両面テープ６ａの長さＬ４よりも大きい。また、遮光テープ７ａおよび７ｂの幅Ｗ５は、両面テープ６ａの幅Ｗ４と略等しい。また、図４に示すように、両面テープ６ａは、Ｚ方向の厚みｔ１を有するとともに、遮光テープ７ａおよび７ｂは、両面テープ６ａの厚みｔ１よりも若干小さいＺ方向の厚みｔ２を有する。
【００３２】
また、図３に示すように、平面的に見て、液晶表示パネル２のドライバ配置領域２１ａおよび２１ｂは、遮光テープ７ａに重なるように配置されているとともに、液晶表示パネル２のドライバ配置領域２１ｃおよび２１ｄは、遮光テープ７ｂに重なるように配置されている。すなわち、遮光テープ７ａ（７ｂ）の長さＬ５は、ドライバ配置領域２１ａおよび２１ｂ（２１ｃおよび２１ｄ）の長さの合計（Ｌ１＋Ｌ２）よりも大きいとともに、遮光テープ７ａ（７ｂ）の幅Ｗ５は、ドライバ配置領域２１ａおよび２１ｂ（２１ｃおよび２１ｄ）の幅Ｗ１（Ｗ２）よりも大きくなるように構成されている。そして、ドライバ配置領域２１ｂは、両面テープ６ａと遮光テープ７ａとの間に配置されないとともに、ドライバ配置領域２１ｃは、両面テープ６ａと遮光テープ７ｂとの間に配置されないように構成されている。さらに、ドライバ配置領域２１ａは、遮光テープ７ａの矢印Ｘ１方向側の端部（辺５１ｅの端部Ｂ）の上に配置されないとともに、ドライバ配置領域２１ｃは、遮光テープ７ｂの矢印Ｘ２方向側の端部（辺５１ｅの端部Ｃ）の上に配置されないように構成されている。
【００３３】
また、両面テープ６ａの長さＬ４と、遮光テープ７ａの長さＬ５と、遮光テープ７ｂの長さＬ５とを合計した長さ（Ｌ４＋２×Ｌ５）は、内枠５のＸ方向の長さＬ３よりも小さくなるように構成されている。これにより、両面テープ６ａと遮光テープ７ａおよび７ｂとは、共に、枠部５１の矢印Ｘ１方向側でかつ矢印Ｙ１方向側の角部５１ａおよび枠部５１の矢印Ｘ２方向側でかつ矢印Ｙ１方向側の角部５１ｂに配置されないように構成されている。
【００３４】
また、枠部５１の矢印Ｙ２方向側の辺５１ｆには、Ｘ方向に延びる両面テープ６ｂが配置されている。この両面テープ６ｂは、Ｘ方向の長さＬ６およびＹ方向の幅Ｗ６を有するとともに、両面テープ６ａと同じＺ方向の厚みｔ１（図４参照）を有する。なお、辺５１ｆは、本発明の「第２の辺」の一例である。
【００３５】
また、両面テープ６ｂの中央部は、辺５１ｆの中央部に略位置するように配置されている。また、両面テープ６ｂは、枠部５１の矢印Ｘ１方向側でかつ矢印Ｙ２方向側の角部５１ｃと、枠部５１の矢印Ｘ２方向側でかつ矢印Ｙ２方向側の角部５１ｄと、辺５１ｆのＸ方向の両端部とに配置されないように構成されている。なお、両面テープ６ｂの長さＬ６は、内枠５のＸ方向の長さＬ３よりも小さくなるように構成されている。
【００３６】
また、両面テープ６ｂの長さＬ６は、両面テープ６ａの長さＬ４よりも大きい一方、両面テープ６ｂの幅Ｗ６は、両面テープ６ａの幅Ｗ４よりも小さくなるように構成されている。
【００３７】
また、枠部５１の矢印Ｘ１方向側の辺５１ｇには、Ｙ方向に延びる両面テープ６ｃが配置されているとともに、枠部５１の矢印Ｘ２方向側の辺５１ｈには、Ｙ方向に延びる両面テープ６ｄが配置されている。これら両面テープ６ｃおよび６ｄは、Ｙ方向の長さＬ７およびＸ方向の幅Ｗ７を有するとともに、両面テープ６ａと同じＺ方向の厚みｔ１（図４参照）を有する。
【００３８】
また、両面テープ６ｃおよび６ｄの中央部は、それぞれ、辺５１ｇおよび５１ｈの中央部に略位置するように配置されている。また、両面テープ６ｃは、枠部５１の角部５１ａと、枠部５１の角部５１ｃと、辺５１ｇのＹ方向の両端部とに配置されないように構成されている。同様に、両面テープ６ｄは、枠部５１の角部５１ｂと、枠部５１の角部５１ｄと、辺５１ｈのＹ方向の両端部とに配置されないように構成されている。なお、両面テープ６ｃおよび６ｄの長さＬ７は、内枠５のＹ方向の幅Ｗ３よりも小さくなるように構成されている。
【００３９】
また、両面テープ６ｃおよび６ｄの長さＬ７は、両面テープ６ａの長さＬ４よりも大きい一方、両面テープ６ｃおよび６ｄの幅Ｗ７は、両面テープ６ａの幅Ｗ４よりも小さくなるように構成されている。
【００４０】
また、図１に示すように、バックライト部３の内枠５の下方（矢印Ｚ２方向側）には、上方（矢印Ｚ１方向側）から順に、光学シート３０と、ＬＥＤ発光部３１と、導光板３２と、反射シート３３と、底ケース３４とがさらに設けられている。この光学シート３０は、後述する複数のＬＥＤ３１ａのＹ方向に向かう光をＺ方向に集光するプリズムシート３０ａと、輝度が均一になるように光を拡散する２枚の拡散シート３０ｂとからなる。
【００４１】
また、ＬＥＤ発光部３１では、複数のＬＥＤ３１ａがＸ方向に沿って所定の間隔で並ぶように配置されている。これら各々のＬＥＤ３１ａが発光することによって、バックライト部３は、液晶表示パネル２に光を照射することが可能なように構成されている。また、ＬＥＤ発光部３１は、両面テープ８によって、内枠５の側面部５２の矢印Ｙ１方向側の内側（開口部５０側）に貼り付けられている。
【００４２】
また、導光板３２は、側面側から入射するＬＥＤ発光部３１の光を上面（矢印Ｚ１方向側の面）に出射するように構成されている。また、導光板３２は、光の輝度を均一にするとともに上方に光を集光する機能と、バックライト部３を水平面状に保つ機能とを有する。また、反射シート３３は、導光板３２から下方に漏れた光を導光板３２に向かって反射するように構成されている。また、底ケース３４は、バックライト部３の光学シート３０と、ＬＥＤ発光部３１と、導光板３２と、反射シート３３とを収納するように構成されている。
【００４３】
次に、図１および図３〜図６を参照して、本発明の一実施形態における、液晶表示装置１００の歪み変形について説明する。
【００４４】
まず、図４に示す本実施形態の液晶表示装置１００は、外から力（外力）が加えられていない状態では、液晶表示パネル２およびバックライト部３は略水平になっており、歪んではいない。ここで、図５に示すように、バックライト部３のＸ方向の中央部が上方（矢印Ｚ１方向）に変形するとともに、Ｘ方向の両端部が下方（矢印Ｚ２方向）に変形することによって、バックライト部３（内枠５）のＸ方向に延びる辺５１ｅが液晶表示装置１００の側面から見て凸形状に歪み変形した場合について説明する。
【００４５】
この場合、本実施形態では、内枠５の辺５１ｅの中央部Ａの付近においては、液晶表示パネル２とバックライト部３とが両面テープ６ａにより貼り合わせられていることによって、バックライト部３の歪み変形に伴い液晶表示パネル２も若干歪む。しかしながら、両面テープ６ａの矢印Ｘ１方向側の辺５１ｅおよび角部５１ａと、矢印Ｘ２方向側の辺５１ｅおよび角部５１ｂとにおいては、両面テープ６ａが配置されていないので、バックライト部３の歪み変形に伴う液晶表示パネル２の歪みは生じない。この結果、液晶表示パネル２のＸ方向の中央部の付近が若干歪み変形する一方、Ｘ方向の中央部の付近以外の部分において、液晶表示パネル２は略歪み変形しない。さらに、両面テープ６ａが配置されていない部分に対応する液晶表示パネル２（アレイ基板２ａ）の上面のドライバ配置領域２１ａ、２１ｂ、２１ｃおよび２１ｄも、略歪み変形しない。
【００４６】
一方、図６に示すように、内枠５の辺５１ｅの略全体に両面テープ２０６が配置されている液晶表示装置２００（本実施形態の比較例）では、辺５１ｅが液晶表示装置１００の側面から見て凸形状に歪み変形した場合、バックライト部３の歪み変形に伴って液晶表示パネル２のＸ方向の略全体が歪む。つまり、比較例において、液晶表示パネル２は、Ｘ方向の中央部の付近だけでなくＸ方向の中央部の付近以外の部分においても歪み変形することによって、Ｘ方向の略全体が歪み変形する。したがって、液晶表示パネル２の図示しない液晶層の配列が乱れることに起因して、液晶表示パネル２の表示画像が乱れる。
【００４７】
さらに、本実施形態の比較例による液晶表示装置２００では、液晶表示パネル２のＸ方向の略全体が歪み変形することに起因して、液晶表示パネル２のドライバ配置領域２１ａおよび２１ｂにそれぞれ配置されていた駆動ＩＣ４ａおよび４ｂの矢印Ｘ１方向側が液晶表示パネル２の上面から浮き上がる。同様に、液晶表示パネル２のドライバ配置領域２１ｃおよび２１ｄにそれぞれ配置されていた駆動ＩＣ４ｃおよび４ｄの矢印Ｘ２方向側が液晶表示パネル２の上面から浮き上がる。これにより、駆動ＩＣ４ａ、４ｂ、４ｃおよび４ｄと液晶表示パネル２との電気的接続が切れる。
【００４８】
本実施形態では、上記のように、両面テープ６ａ、６ｂ、６ｃおよび６ｄを４つの角部５１ａ、５１ｂ、５１ｃおよび５１ｄに配置しないように構成することによって、本実施形態の比較例のように額縁形状の内枠５の全周に渡って両面テープ２０６を配置する場合と異なり、歪みが大きい角部５１ａ、５１ｂ、５１ｃおよび５１ｄにおいて内枠５の歪みに伴って液晶表示パネル２が歪むのを抑制することができるので、液晶表示パネル２の表示画像が乱れるのを抑制することができる。また、両面テープ６ａ、６ｂ、６ｃおよび６ｄを、それぞれ、辺５１ｅ、５１ｆ、５１ｇおよび５１ｈに配置することによって、両面テープ６ａ、６ｂ、６ｃおよび６ｄを角部５１ａ、５１ｂ、５１ｃおよび５１ｄに配置しない状態であっても液晶表示パネル２と内枠５とを貼り合わせることができる。また、元々液晶表示パネル２が歪んでいる場合においても、額縁形状の内枠５の全周に渡って両面テープ２０６を配置する場合と異なり、液晶表示パネル２の歪みを矯正する力が液晶表示パネル２に加わるのを抑制することができるので、液晶表示パネル２に力が加わることに起因して液晶表示パネル２の表示画像が乱れるのを抑制することができる。
【００４９】
また、本実施形態では、上記のように、両面テープ６ａを辺５１ｅの端部Ｂの近傍および端部Ｃの近傍に配置せずに、両面テープ６ａの中央部が枠部５１の矢印Ｙ１方向側の辺５１ｅの中央部Ａに略位置するように両面テープ６ａを配置することによって、角部５１ａおよび５１ｂだけでなく辺５１ｅの端部Ｂの近傍および端部Ｃの近傍においても内枠５の歪みに伴って液晶表示パネル２が歪むのを抑制することができるので、液晶表示パネル２の表示画像が乱れるのをより抑制することができる。
【００５０】
また、本実施形態では、上記のように、両面テープ６ａを両面テープ６ａの中央部が枠部５１の矢印Ｙ１方向側の辺５１ｅの中央部Ａに略位置するように配置し、液晶表示パネル２のドライバ配置領域２１ａおよび２１ｂを遮光テープ７ａに重なるように配置するとともに、液晶表示パネル２のドライバ配置領域２１ｃおよび２１ｄを遮光テープ７ｂに重なるように配置することによって、辺５１ｅの中央部Ａの付近において液晶表示パネル２と内枠５とを貼り合わせることにより、内枠５の歪みに伴って液晶表示パネル２の辺５１ｅの中央部Ａの付近以外が歪むのを抑制することができる。これにより、ドライバ配置領域２１ａ、２１ｂ、２１ｃおよび２１ｄにおいて液晶表示パネル２が歪むことに起因して、液晶表示パネル２に対する駆動ＩＣ４ａ、４ｂ、４ｃおよび４ｄの電気的接続が切れてしまうのを抑制することができる。また、液晶表示パネル２に駆動ＩＣ４ａ、４ｂ、４ｃおよび４ｄを配置する際の熱によって液晶表示パネル２が歪む場合においても、液晶表示パネル２の歪みを矯正する力がドライバ配置領域２１ａ、２１ｂ、２１ｃおよび２１ｄに加わるのを抑制することができる。
【００５１】
また、本実施形態では、上記のように、両面テープ６ａを遮光テープ７ａおよび７ｂによって挟まれるように配置するとともに、液晶表示パネル２のドライバ配置領域２１ａおよび２１ｂを遮光テープ７ａに重なるように配置し、液晶表示パネル２のドライバ配置領域２１ｃおよび２１ｄを遮光テープ７ｂに重なるように配置することによって、液晶表示パネル２に駆動ＩＣ４ａ、４ｂ、４ｃおよび４ｄを配置する際に、液晶表示パネル２に応力が発生するのを抑制することができる。また、辺５１ｅの両面テープ６ａのＸ方向の両端部側における液晶表示パネル２と内枠５との隙間を介してバックライト部３の光が駆動ＩＣ４ａ、４ｂ、４ｃおよび４ｄに到達するのを、ドライバ配置領域２１ａ、２１ｂ、２１ｃおよび２１ｄに対応する部分に配置された遮光テープ７ａおよび７ｂによって抑制することができる。
【００５２】
また、本実施形態では、上記のように、遮光テープ７ａおよび７ｂの厚みｔ２を両面テープ６ａの厚みｔ１よりも若干小さくすることによって、辺５１ｅの両面テープ６ａが配置される部分以外の部分において、液晶表示パネル２と内枠５との隙間を埋めるように遮光部材を配置することができる。これにより、遮光テープ７ａおよび７ｂが配置されていない場合と比べて、液晶表示パネル２と内枠５との隙間を小さくすることができるので、液晶表示パネル２が内枠５側（矢印Ｚ２方向側）に撓むのを抑制することができる。また、遮光テープ７ａおよび７ｂの厚みｔ２が両面テープ６ａの厚みｔ１よりも大きいことに起因して液晶表示パネル２と内枠５とが両面テープ６ａにより貼り合わせられなくなるのを抑制することができる。
【００５３】
また、本実施形態では、上記のように、辺５１ｆの両面テープ６ｂの長さＬ６を辺５１ｅの両面テープ６ａの長さＬ４よりも大きくする一方、両面テープ６ｂの幅Ｗ６を両面テープ６ａの幅Ｗ４よりも小さくすることによって、駆動ＩＣ４ａ、４ｂ、４ｃおよび４ｄが配置されることに起因して歪みが生じやすい辺５１ｅにおいて、内枠５の歪みに伴ってドライバ配置領域２１ａ、２１ｂ、２１ｃおよび２１ｄが歪むのをより抑制することができる。また、辺５１ｅに配置される両面テープ６ａの面積の大きさと、辺５１ｆに配置される両面テープ６ｂの面積の大きさとを近づけることができるので、辺５１ｅおよび辺５１ｆにおいて、液晶表示パネル２と内枠５との接着状態を近づけることができる。
【００５４】
本発明の一実施形態による液晶表示装置１００は、図７〜図９に示すように、第１の例によるカーナビゲイション・システム（ｓａｔｅｌｌｉｔｅ  ｎａｖｉｇａｔｉｏｎ  ｓｙｓｔｅｍ）３００、第２の例によるＰＣ（Ｐｅｒｓｏｎａｌ  Ｃｏｍｐｕｔｅｒ）４００および第３の例による携帯電話機５００などに用いることが可能である。図７の第１の例によるカーナビゲイション・システム３００においては、表示画面３１０などに本発明の一実施形態による液晶表示装置１００を用いることが可能である。なお、カーナビゲイション・システム３００に液晶表示装置１００が用いられる際には、液晶表示装置１００の内枠５の辺５１ｅ（図３参照）側が下方に配置されるように構成される。すなわち、辺５１ｅに重力などの外からの力が加わりやすい状態になるように液晶表示装置１００が配置される。なお、カーナビゲイション・システム３００は、本発明の「電子機器」の一例である。
【００５５】
また、図８の第２の例によるＰＣ４００においては、キーボードなどの入力部４１０および表示画面４２０などに本発明の一実施形態による液晶表示装置１００を用いることが可能である。図９の第３の例による携帯電話機５００においては、表示画面５１０に本発明の一実施形態による液晶表示装置１００を用いることが可能である。なお、ＰＣ４００および携帯電話機５００は、本発明の「電子機器」の一例である。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記実施形態では、接着部材として両面テープ６ａ、６ｂ、６ｃおよび６ｄを用いた例を示したが、本発明はこれに限られない。たとえば、接着部材としてシリコン樹脂などを用いてもよい。
【００５８】
また、上記実施形態では、両面テープ６ａの中央部が枠部５１の矢印Ｙ１方向側の辺５１ｅの中央部Ａに略位置するように両面テープ６ａを配置した例を示したが、本発明はこれに限られない。本発明では、両面テープ（接着部材）は内枠（枠体）の角部以外の辺に配置されていればよく、辺の中央部に配置されていなくてもよい。
【００５９】
また、上記実施形態では、内枠５の辺５１ｅに遮光テープ７ａおよび７ｂを配置した例を示したが、本発明はこれに限られない。本発明では、内枠の辺に遮光テープ（遮光部材）を配置しなくてもよい。
【００６０】
また、上記実施形態では、平面的に見て、液晶表示パネル２のドライバ配置領域２１ａおよび２１ｂを遮光テープ７ａに重なるように配置するとともに、ドライバ配置領域２１ｃおよび２１ｄを遮光テープ７ｂに重なるように配置した例を示したが、本発明はこれに限られない。本発明では、平面的に見て、ドライバ配置領域（回路部配置領域）と遮光テープとが重なるように配置しなくてもよい。
【００６１】
また、上記実施形態では、両面テープ６ａをＸ方向の長さＬ４およびＹ方向の幅Ｗ４を有し、両面テープ６ｂをＸ方向の長さＬ６およびＹ方向の幅Ｗ６を有するとともに、両面テープ６ｃおよび６ｄをＹ方向の長さＬ７およびＸ方向の幅Ｗ７を有するように構成した例を示したが、本発明はこれに限られない。本発明では、両面テープが角部に配置されなければ、４辺にそれぞれ配置される両面テープの長さおよび幅は特に限定されない。
【００６２】
また、上記実施形態では、遮光テープ７ａおよび７ｂの厚みｔ２を両面テープ６ａの厚みｔ１よりも若干小さくした例を示したが、本発明はこれに限られない。本発明では、遮光テープの厚みｔ２は、両面テープの厚みｔ１と略同じであってもよい。
【００６３】
また、上記実施形態では、両面テープ６ａ、６ｂ、６ｃおよび６ｄを、それぞれ、内枠５の４つの辺５１ｅ、５１ｆ、５１ｇおよび５１ｈに配置した例を示したが、本発明はこれに限られない。本発明では、両面テープは４つの辺の全てに配置されなくてもよい。
【符号の説明】
【００６４】
２  液晶表示パネル      ３  バックライト部（照明部）      ４ａ、４ｂ、４ｃ、４ｄ  駆動ＩＣ（液晶駆動回路部）      ５  内枠（枠体）      ６ａ、６ｂ、６ｃ、６ｄ  両面テープ（接着部材）      ７ａ、７ｂ  遮光テープ（遮光部材）      ２１ａ、２１ｂ、２１ｃ、２１ｄ  ドライバ配置領域（回路部配置領域）      ５１ａ、５１ｂ、５１ｂ、５１ｄ  角部      ５１ｅ  辺（第１の辺）      ５１ｆ  辺（第２の辺）      ５１ｇ、５１ｈ  辺      １００  液晶表示装置      ３００  カーナビゲイション・システム（電子機器）      ４００  ＰＣ（電子機器）      ５００  携帯電話機（電子機器）
【図１】
2011180483.tif 000003
【図２】
2011180483.tif 000004
【図３】
2011180483.tif 000005
【図４】
2011180483.tif 000006
【図５】
2011180483.tif 000007
【図６】
2011180483.tif 000008
【図７】
2011180483.tif 000009
【図８】
2011180483.tif 000010
【図９】
2011180483.tif 000011